(57)【要約】【課題】決済を行うときに、利用者が煩わしさを感じることなく、使用する電子決済の種別を簡単に選択することができ、利用者の利便性の向上を図った媒体処理装置を提供する。【解決手段】無線通信部１２が、媒体３に記録されている電子決済に用いる決済情報を、当該媒体３との無線通信により読み取る。表示１３では、媒体３から読み取った決済情報毎に、電子決済の種別を表示する。そして、操作部１４において、表示している種別の電子決済の中から、いずれかの選択を受け付け、選択された種別の電子決済について、前記読取手段が読み取った決済情報を上位装置である取引処理装置２に通知する。【選択図】  図１
2009025929.tif 000002
【特許請求の範囲】
【請求項１】
媒体に記録されている電子決済に用いる決済情報を、当該媒体との無線通信により読み取る読取手段と、
前記読取手段が読み取った決済情報毎に、電子決済の種別を表示する表示手段と、
前記表示手段が表示している種別の電子決済の中から、いずれかの選択を受け付ける選択受付手段と、
前記選択受付手段が受け付けた種別の電子決済について、前記読取手段が読み取った決済情報を上位装置に通知する通知手段と、を備えた媒体処理装置。
【請求項２】
前記表示手段は、前記読取手段が決済情報を読み取った電子決済の種別毎に、その種別に対応するランプを点灯させる手段である、請求項１に記載の媒体処理装置。
【請求項３】
前記通知手段が決済情報を通知した上位装置からの指示にしたがって、媒体に記録されている決済情報を更新する更新手段を備えた、請求項１、または２に記載の媒体処理装置。
【請求項４】
前記読取手段が決済情報を読み取った電子決済の種別が１つであった場合には、前記選択受付手段による選択を受け付けることなく、前記通知手段に前記読取手段が読み取った決済情報を上位装置に通知させる制御手段を備えた請求項１〜３のいずれかに記載の媒体処理装置。
【請求項５】
前記制御手段は、前記読取手段が決済情報を読み取った電子決済の種別が１つであった場合には、前記表示手段による電子決済の種別の表示を禁止する手段である、請求項４に記載の媒体処理装置。
【発明の詳細な説明】
【技術分野】
【０００１】
この発明は、媒体に記録されている電子決済に用いる決済情報を読み取り、読み取った決済情報を上位装置に通知する媒体処理装置に関する。
【背景技術】
【０００２】
従来、取引等の決済が電子マネーで行える電子決済システムがあった。電子マネーとは、ＩＣチップに価値情報として記録されている決済情報である。最近では、この決済情報を記録するＩＣチップを備えた電子マネー機能付携帯電話の普及により、取引等の決済を電子マネーで行う利用者が増加している。電子マネー機能付携帯電話は、クレジットカード会社等から配信される決済機能アプリケーションプログラム（以下、決済機能アプリと言う）をダウンロードすることによって、ダウンロードした決済機能アプリによる種別の電子決済が行える。電子マネー（決済情報）は、電子決済の種別毎に異なる。すなわち、電子マネー機能付携帯電話は、クレジットカード会社等から配信される複数の決済機能アプリをダウンロードすることによって、複数種別の電子決済が行える。
【０００３】
この電子決済は、ＰＯＳ端末等の取引処理装置に接続された媒体処理装置が、電子マネーを記録した電子マネー機能付携帯電話や、ＩＣカード等の媒体と無線通信を行い、媒体が記憶している電子マネーを読み取り、読み取った電子マネーを取引処理装置に通知する。取引処理装置は、媒体処理装置から通知された電子マネーで取引等の決済を行い、処理結果を媒体処理装置に通知する。媒体処理装置は、取引処理装置からの通知にしたがって、媒体に記録されている今回の決済に使用された電子マネーを更新する。
【０００４】
現在、店舗等で利用できる電子マネーの種別が異なっているのが現状である。電子マネー機能付携帯電話では、上述したように、ダウンロードしている決済機能アプリ毎に、その種別の電子マネーで決済が行えるのであるが、今回の決済に使用する電子マネーの種別（電子決済の種別）を、利用者の意志に関係なく取引処理装置側で勝手に決定すると、利用者の意に反した種別の電子マネーで決済が行われることがある。そこで、媒体側で決済に使用する電子マネーの種別に対して優先順位の登録が行え、取引処理装置がこの優先順位に基づいて今回の決済に使用する電子マネーの種別を決定することが提案されている（特許文献１参照）。
【特許文献１】特開２００３−１５１０１１号公報
【発明の開示】
【発明が解決しようとする課題】
【０００５】
しかしながら、決済に使用する電子マネーの種別に対して優先順位を登録する構成では、登録している優先順位に基づいて、決済に使用する電子マネーの種別が選択されることになるため、利用者が決済するときの状況に応じて使用する電子マネーの種別を選択することができないという問題がある。このことから、決済を行うときに、利用者が今回の決済で使用する電子マネーの種別を指定するのが望ましいのであるが、この場合には、利用者が使用できる電子マネーの種別と、今回取引する店舗等で利用できる電子マネーの種別を確認し、今回の決済で使用する電子マネーの種別を選択することになる。すなわち、利用者が、決済機能アプリをダウンロードしたことで使用可能になった電子マネーの種別や、今回取引する店舗等で利用できる電子マネーの種別の確認等を行わなければならず、利用者に煩わしさを感じさせるという問題がある。
【０００６】
この発明の目的は、決済を行うときに、利用者が煩わしさを感じることなく、使用する電子決済の種別を簡単に選択することができ、利用者の利便性の向上を図った媒体処理装置を提供することにある。
【課題を解決するための手段】
【０００７】
この発明の媒体処理装置は、上記課題を解決し、その目的を達するために、以下のように構成している。
【０００８】
読取手段が、媒体に記録されている電子決済に用いる決済情報を、当該媒体との無線通信により読み取る。表示手段が、前記読取手段が読み取った決済情報毎に、電子決済の種別を表示する。そして、選択受付手段が前記表示手段が表示している種別の電子決済の中から、いずれかの選択を受け付け、通知手段が前記選択受付手段が受け付けた種別の電子決済について、前記読取手段が読み取った決済情報を上位装置に通知する。
【０００９】
このように、表示手段において利用できる電子決済の種別を表示する構成としているので、利用者は電子決済が行える電子決済の種別を簡単に判断することができる。したがって、決済を行うときに、煩わしさを感じることなく、使用する電子決済の種別を簡単に選択することができる。
【００１０】
なお、媒体処理装置は、対応していない種別の電子決済にかかる決済情報を読み取ったときには、その決済情報については無視すればよい。
【００１１】
、また、前記表示手段、利用可能な電子決済の種別毎にランプを設け、前記読取手段が決済情報を読み取った電子決済の種別に対応するランプを点灯させる簡単な構成であってもよい。前記表示手段を、このような簡単な構成で実現すれば、本体のコストアップも抑えられる。
【００１２】
さらに、前記読取手段が決済情報を読み取った電子決済の種別が１つであった場合には、前記選択受付手段による選択を受け付けることなく、前記通知手段に前記読取手段が読み取った決済情報を上位装置に通知することで、利用者に無駄な選択操作を行わせることがなく、利用者の利便性を一層向上させることができる。また、この場合には、表示手段における表示を禁止してもよい。
【発明の効果】
【００１３】
この発明によれば、決済を行うときに、利用者が煩わしさを感じることなく、使用する電子決済の種別を簡単に選択することができ、利用者の利便性の向上が図れる。
【発明を実施するための最良の形態】
【００１４】
以下、この発明の実施形態である媒体処理装置について説明する。
【００１５】
図１は、この発明の実施形態である媒体処理装置を適用した決済システムの構成を示す図である。この決済システムは、媒体処理装置１と、取引処理装置２と、を備えている。媒体処理装置１と、取引処理装置２と、はデータ通信ラインで接続されている。媒体処理装置１は、電子決済に用いる電子マネー（決済情報）を記録した、非接触式ＩＣカードや、電子マネー機能付携帯電話等の媒体３と、無線通信を行って、この媒体３に記録されている電子マネーの読み取りや、記録されている電子マネーの更新（書き換え）を行う。ここでは、媒体３を、電子マネー機能付携帯電話として説明する。電子マネー機能付携帯電話は、クレジットカード会社等から配信される決済機能アプリケーションプログラム（以下、決済機能アプリと言う）をダウンロードすることによって、ダウンロードした決済機能アプリによる種別の電子決済が行える。電子マネーは、使用できる電子決済の種別毎に異なる。すなわち、電子マネー機能付携帯電話は、ダウンロードした決済機能アプリ毎に電子マネーを記憶することができ、ダウンロードした決済機能アプリ毎に対応する種別の電子決済が行える。取引処理装置２は、取引する商品の登録等を行うＰＯＳ端末である。特に図示していないが、取引処理装置２は、店舗サーバに接続されている。また、店舗サーバは、専用回線や公衆回線を介して決済センタ（不図示）に接続されている。電子決済で処理された取引情報は、取引処理装置１から決済センタに送られる。取引処理装置２が、媒体処理装置１の上位装置である。
【００１６】
図２は、この媒体処理装置の操作面を示す図である。図３は、この媒体処理装置の主要部の構成を示すブロック図である。媒体処理装置１は、制御部１１と、無線通信部１２と、表示部１３と、操作部１４と、上位通信部１５と、を備えている。制御部１１は、本体各部の動作を処理し、後述する処理を実行する。無線通信部１２は、媒体３と無線通信を行って、この媒体に記録されている決済情報の読み取りや、記録されている決済情報の更新を行う。無線通信部１２は、本体操作面に設けられたアンテナ１２ａに近接された媒体３と無線通信が行える。すなわち、アンテナ１２ａから数ｃｍの範囲が、無線通信エリアである。表示部１３は、利用可能な種別の電子決済毎に、ランプ１３ａを有している。また、各ランプ１３ａに対応する電子決済の種別を本体正面に表記している。表示部１３は、無線通信部１２が媒体３から読み取った電子マネーの種別毎に、対応する種別の電子決済に応じたランプ１３ａを点灯する。また、操作部１４は、ランプ１３ａ毎に操作ボタン１４ａを有している。この操作ブタン１４は、対応するランプ１３ａについての電子決済の種別の表記の下に配置されており、表記位置を押下することにより、対応する操作ボタン１４ａの操作が行える。上位通信部１５は、データ通信ラインで接続された上位装置である取引処理端末２との通信を制御する。
【００１７】
この媒体処理装置１は、無線通信部１２で媒体３から読み取った電子マネーの種別毎に、表示部１３の対応するランプ１３ａを点灯する。そして、点灯しているランプ１３ａに対応するいずれかの操作ボタン１４ａが操作されると、操作された操作ボタン１４ａに対応する種別の電子決済にかかる電子マネーを上位装置である取引処理装置２に通知する。ここで、取引処理装置２に通知する電子マネーは、今回媒体３から読み取った決済情報である。
【００１８】
なお、媒体処理装置１は、媒体３から読み取った電子マネーが、利用できる種別のものでなければ、この種別の電子マネーについては無視する。また、媒体処理装置１は、利用できる種別の電子決済にかかる電子マネーが、媒体３から１つしか読み取れなかったときには、操作ボタン１４ａが操作されるのを待つことなく、その電子マネーを取引処理装置２に送信する。この場合には、媒体３から読み取った電子マネーに対応するランプ１３ａを点灯させなくてもよい。
【００１９】
媒体処理装置１は、電子マネーを通知した取引処理装置２から、媒体３に記録されている電子マネーの更新指示があると、媒体３に対して電子マネーの更新（書き換え）を指示する。これにより、媒体３が記録している電子マネーを更新する。
【００２０】
以下、この媒体処理装置１の動作の詳細について説明する。図４は、この媒体処理装置の動作を示すフローチャートである。媒体処理装置１は、上位装置である取引処理装置２から電子決済に用いる電子マネーの読み取り指示があるのを待つ（ｓ１）。
【００２１】
取引処理装置２は、取引する商品等にかかる取引データの入力が行われ、取引の決済を電子決済で行う旨の入力がなされると、媒体処理装置１に対して電子マネーの読み取りを指示する。媒体処理装置１は、上位通信部１５で取引処理装置２からの電子マネーの読み取り指示を受信すると、無線通信部１２での媒体３との無線通信を開始する（ｓ２）。このとき、利用者が所持している媒体３を無線通信部１２のアンテナ１２ａにかざし、この媒体３を無線通信部１２の無線通信エリア内に位置させる。媒体処理装置１は、ｓ２で無線通信エリア内に位置する媒体３に対して、応答を要求するポーリングコマンドの送信を開始し、媒体３からの応答があるまで、ポーリングコマンドを一定時間間隔で繰り返し送信する。利用者によって、無線通信部１２の無線通信エリア内に位置された媒体３がこのポーリングコマンドを受信し、応答する。
【００２２】
媒体処理装置１は、媒体３からの応答を受信すると（ｓ３）、その媒体３に対して電子決済に使用する電子マネーの送信を要求する（ｓ４）。媒体３は、媒体処理装置１の要求に対して、電子マネーを送信する。このとき、媒体３は、記録している電子マネーの種別毎に、その電子マネーにかかる情報を媒体処理装置１に送信する。媒体処理装置１は、媒体３から送信されてきた電子マネーにかかる情報を受信する毎に（ｓ５）、受信した電子マネーに対応する電子決済の種別を判別する（ｓ６）。また、媒体処理装置１は、ｓ６で電子決済の種別が判別できた電子マネーにかかる情報を、一時的に制御部１１に設けられているメモリ（不図示）に記憶する（ｓ７、ｓ８）。一方、媒体処理装置１は、ｓ６で電子決済の種別が別できなかった電子マネーを無視する。ｓ６で電子決済の種別が判別できない電子マネーは、媒体処理装置１が対応していない種別の電子決済にかかる電子マネーであるので、無視しても問題はない。
【００２３】
媒体処理装置１は、媒体３からの電子マネーの受信が完了すると（ｓ９）、今回判別できた電子決済の種別が１つであったかどうかを判定する（ｓ１０）。媒体処理装置１は、今回判別できた電子決済の種別が１つであれば、この種別の電子決済についてｓ８で記憶した電子マネーを取引処理装置２に通知する（ｓ１１）。また、媒体処理装置１は、今回判別できた電子決済の種別が２つ以上であれば、今回判別できた電子決済の種別毎に、対応するランプ１３ａを点灯し（ｓ１２）、ここで点灯したランプ１３ａに対応するいずれかの操作ボタン１４ａが操作されるのを待つ（ｓ１３）。ｓ１２では、今回判別できなかった種別の電子決済に対応するランプ１３ａについては、消灯状態を保持する。
【００２４】
このように、媒体処理装置１は、決済が複数の種別の電子決済で行えるとき、決済が行える種別の電子決済に対応するランプ１３ａを点灯する。また、上述したように、本体正面には、各ランプ１３ａに対応する電子決済の種別が表記されている。したがって、利用者は、決済が行える種別の電子決済を簡単に認識できる。
【００２５】
媒体処理装置１は、今回判別できたいずれかの種別の電子決済に応じた操作ボタン１４ａが利用者によって操作されると、今回操作された操作ボタン１４ａに対応する種別の電子決済にかかる電子マネーをメモリから読み出して、取引処理装置２に通知する（ｓ１４）。すなわち、利用者は、操作ボタン１４ａを操作することによって、今回の取引を決済する電子決済の種別を選択する。このとき、媒体処理装置１は、利用者によって選択されなかった種別の電子決済にかかる電子マネー（ｓ８で記憶した電子マネー）をメモリから破棄する。
【００２６】
取引処理装置２では、媒体処理装置１がｓ１１、またはｓ１４で通知した電子マネーを用いて、取引の決済が行われる。また、媒体処理装置装置１に対して、媒体３が記憶している決済情報の書き換えを指示する。媒体処理装置１は、取引処理装置２から媒体３が記憶している電子マネーの書換指示があると（ｓ１５）、媒体３に対して電子マネーの書き換えを指示する（ｓ１６）。媒体３は、この指示にしたがって、記録している電子マネーを書き換え、媒体処理装置１に完了通知を送信する。ｓ１５で、書き換えを指示する電子マネーは、今回の決済で使用した種別の電子決済にかかる電子マネーであって、今回の決済で使用していない種別の電子決済にかかる電子マネーまで書き換えを指示することはない。
【００２７】
媒体処理装置１は、媒体３からの電子マネーの書換完了にかかる通知を受信すると（ｓ１７）、無線通信部１２における媒体３との無線通信を停止し（ｓ１８）、ｓ１に戻る。
【００２８】
このように、媒体処理装置１では、利用者が複数の種別の電子決済が行える媒体３を用いて電子決済を行う場合に、利用可能な電子決済の種別を利用者に簡単に認識させることができるとともに、使用する種別の電子決済を簡単に選択させることができる。したがって、決済を行うときに、利用者が煩わしさを感じさせることがなく、利用者の利便性の向上が図れる。
【００２９】
また、決済が行える種別の電子決済が１つである媒体３であれば、利用者による電子決済の種別の選択を不要にしているので、利用者に無駄な操作を行わせることがなく、利用者の利便性について一層の向上が図れる。また、決済が行える種別の電子決済が１つである媒体３である場合に、その種別に対応するランプ１３ａを点灯させるかどうかについてはどちらでもよい。
【００３０】
また、上記の説明では、媒体３がダウンロードした決済機能アプリ毎に、対応する種別の電子決済が行える電子マネー機能付携帯電話であることを前提にして説明したが、媒体３は特定の種別の電子決済が行える非接触式ＩＣカードであってもよい。また、この種の非接触式ＩＣカードを複数枚収納した財布等が無線通信エリアに位置されたときにも、媒体処理装置１は、非接触ＩＣカード毎に電子マネーを受信し、利用可能な種別の電子決済に対応するランプ１３ａを点灯させ、利用可能な電子決済の種別を利用者に簡単に認識させることができる。
【図面の簡単な説明】
【００３１】
【図１】この発明の実施形態である媒体処理装置を適用した決済システムの構成を示す図である。
【図２】媒体処理装置の操作面を示す図である。
【図３】媒体処理装置の主要部の構成を示すブロック図である。
【図４】この媒体処理装置の動作を示すフローチャートである。
【符号の説明】
【００３２】
１−媒体処理装置
２−取引処理装置
３−媒体
１１−制御部
１２−無線通信部
１２ａ−アンテナ
１３−表示部
１３ａ−ランプ
１４−操作部
１４ａ−操作ボタン
１５−上位通信部
【図１】
2009025929.tif 000003
【図２】
2009025929.tif 000004
【図３】
2009025929.tif 000005
【図４】
2009025929.tif 000006